(57)【要約】【課題】有機ＥＬ素子を用いて発光表示する合焦マークの視認性を向上する。【解決手段】ファインダー内に形成された発光表示部１６の撮影視野領域２２は、被写体からの反射光が透過され、被写体観察のために使用する。撮影視野領域２２の測距点Ｆ１〜Ｆ９それぞれに対応する位置に合焦マークを発光するための発光部２５を設ける。各発光部２５は、それぞれ有機発光材料によって発光し、独立制御可能な第１及び第２の発光要素２５Ａ、２５Ｂから成る。被写体輝度が閾値以上である場合、第１及び第２の発光要素２５Ａ、２５Ｂが発光する。被写体輝度が閾値より小さい場合、第１の発光要素２５Ａのみ発光する。【選択図】図３
2008040149.tif 000002
【特許請求の範囲】
【請求項１】
対物光学系を通る光から被写体像を形成するファインダー光学系と、
前記被写体像を観察するためのファインダー窓と、
前記光の光路を横断するように配置され、有機発光材料を含む有機ＥＬ層から構成される発光部を発光させて表示を行い、その発光表示を前記被写体像に重ねて前記ファインダー窓から観察させる発光表示部と、
前記被写体像の被写体輝度を測定する輝度測定手段と、
前記被写体像に対して設定された複数の測距点の各測距点に対して合焦させることができる合焦手段とを備える撮像装置において、
前記発光部は、前記各測距点に応じた位置にそれぞれ配置され、各測距点の位置を発光表示可能であって、
前記複数の測距点のうち、１つの測距点に対して合焦したとき、前記発光部がその１つの測距点を発光表示させると共に、前記測定された被写体輝度に応じて、前記発光表示される発光部の発光面積が調整されることを特徴とする撮像装置。
【請求項２】
前記測定された被写体輝度に応じて、前記発光部の発光強度が調整されることを特徴とする請求項１に記載の撮像装置。
【請求項３】
前記被写体輝度が相対的に大きいとき、前記測距点の位置を発光表示する発光部の発光面積を相対的に大きくすることを特徴とする請求項１に記載の撮像装置。
【請求項４】
前記各測距点の各位置に配置される発光部は、隣り合うように配置された、各々独立に発光制御可能な複数の発光要素を含み、前記測定された被写体輝度が大きいほど、多くの発光要素が発光させられ、発光面積が大きくされることを特徴とする請求項３に記載の撮像装置。
【請求項５】
前記各測距点に応じた各位置に配置される発光部は、各々が独立に発光制御可能な第１及び第２の発光要素を含み、
前記第２の発光要素は、前記第１の発光要素を内部に配置するようにＣ字形又はコの字形に形成されることを特徴とする請求項１に記載の撮像装置。
【請求項６】
前記各測距点に応じた各位置に配置される発光部は、各々が独立に発光制御可能な第１及び第２の発光要素を含み、
前記測定された輝度が所定の輝度以上である場合、前記合焦した測距点に対応して配置された前記第１及び第２の発光要素を発光させると共に、
前記測定された輝度が所定の輝度より小さい場合、前記第１の発光要素を発光させる一方、前記第２の発光要素を発光させないことを特徴とする請求項１に記載の撮像装置。
【請求項７】
前記各測距点に応じた各位置に配置される発光部は、各々が独立に発光制御可能な第１及び第２の発光要素を含み、
前記第２の発光要素の発光面積が、前記第１の発光要素の発光面積より大きく、
前記測定された被写体輝度が所定の輝度以上である場合、前記合焦した測距点に対応して配置された前記第２の発光要素を発光させると共に、
前記測定された輝度が所定の輝度より小さい場合、前記第１の発光要素を発光させることを特徴とする請求項１に記載の撮像装置。
【請求項８】
前記各測距点に応じた各位置に配置される発光部は、２以上の色の光を発することができることを特徴とする請求項１に記載の撮像装置。
【請求項９】
対物光学系を通る光から被写体像を形成するファインダー光学系と、
前記被写体像を観察するためのファインダー窓と、
前記光の光路を横断するように配置され、有機発光材料を含む有機ＥＬ層から構成される発光部を発光させて表示を行い、その発光表示を前記被写体像に重ねて前記ファインダー窓から観察させる発光表示部と、
前記被写体像の色を測定する測色手段と、
前記被写体像に対して設定された複数の測距点の各測距点に対して合焦させることができる合焦手段とを備える撮像装置において、
前記発光部は、前記各測距点に応じた位置にそれぞれ配置され、各測距点の位置を発光表示可能であって、
前記複数の測距点のうち、１つの測距点に対して合焦したとき、前記発光部がその１つの測距点を発光表示させると共に、前記測定された被写体像の色に応じて、前記発光表示される発光部の発光色が調整されることを特徴とする撮像装置。
【発明の詳細な説明】
【技術分野】
【０００１】
本発明は、有機エレクトロルミネセンス素子が光路内に配置されたファインダー装置を有し、合焦ポイントをファインダー内に表示させることができる撮像装置、特に一眼レフカメラ等のカメラに関する。
【背景技術】
【０００２】
従来、一眼レフカメラにおいて、ペンタプリズムと焦点板の間または焦点板とクイックリターンミラーの間の被写体結像位置近傍に有機エレクトロルミネセンス素子（以下、有機ＥＬ素子という）が配置されることが知られている。この有機ＥＬ素子は発光させられることにより、被写体観察が可能な撮影視野領域においてフォーカスエリアの指標等の各種情報マークを発光表示することができる。また、撮影視野領域の外側に設けられた情報表示部も発光させ、その発光により各種情報を表示することができる。撮影者は、例えばフォーカスエリアの指標の発光表示により、測距エリアを把握することができるとともに、情報表示部の発光により、シャッター速度、フィルム感度、ストロボ発光の有無等の撮影条件も確認することができる（特許文献１、２等参照）。
【０００３】
また、一眼レフカメラは、通常、多分割オートフォーカス（多点測距）機能を備えており、ファインダーを通して観察される被写体像に対して複数の測距点が設定され、各測距点に対して焦点調整することが可能である。オートフォーカスモードの場合、ＡＦ駆動によって１つの測距ポイントが合焦すると、その位置に合焦を示す合焦マークがスーパーインポーズ表示される。
【０００４】
スーパーインポーズ表示のために、ファインダー装置内には投光装置としてＬＥＤが設けられると共に、各合焦マークに合わせて複数のマイクロプリズムが形成されたスクリーン板が、ピント板に重なるように配置されている。合焦マークに従い、照明光がスクリーン板に投光すると、マイクロプリズムにおいて照明光が反射し、接眼レンズ方向へ導かれる。その結果、ピント板に結像された被写体像に重なるように、照明光が測距点として観察される。
【特許文献１】特開２０００−２２１５７８号公報
【特許文献２】特許第３５３９２５１号
【発明の開示】
【発明が解決しようとする課題】
【０００５】
合焦マークを発光表示するＬＥＤの発光輝度は、従来、被写体像の明るさに応じて変更させられることがある。しかし、ＬＥＤの発光輝度には限界があるため、例えば被写体像が明るい場合等、撮影状況によっては、合焦ポイントの表示が見えにくいことがある。
【０００６】
そこで、本発明はこのような問題点に鑑みて成されたものであり、合焦マークの視認性が向上された撮像装置を提供することを目的とする。
【課題を解決するための手段】
【０００７】
本発明に係る撮像装置は、対物光学系を通る光から被写体像を形成するファインダー光学系と、被写体像を観察するためのファインダー窓と、光の光路を横断するように配置され、有機発光材料を含む有機ＥＬ層から構成される発光部を発光させて表示を行い、その発光表示を被写体像に重ねてファインダー窓から観察させる発光表示部と、被写体像の被写体輝度を測定する輝度測定手段と、被写体像に対して設定された複数の測距点の各測距点に対して合焦させることができる合焦手段とを備える撮像装置である。そして、発光部は、各測距点に応じた位置にそれぞれ配置され、各測距点の位置を発光表示可能であって、複数の測距点のうち、１つの測距点に対して合焦したとき、発光部がその１つの測距点を発光表示させると共に、測定された被写体輝度に応じて、発光表示される発光部の発光面積が調整されることを特徴とする。
【０００８】
測定された被写体輝度が相対的に大きいとき、測距点の位置を発光表示する発光部の発光面積を相対的に大きくすることが好ましく、また測定された被写体輝度に応じて、発光表示される発光部の発光強度が調整されたほうが良い。
【０００９】
各測距点の各位置に配置される発光部は、隣り合うように配置された、各々が独立に発光制御可能な複数の発光要素を含み、測定された被写体輝度が大きいほど、多くの発光要素が発光させられ、発光面積が大きくされることが好ましい。
【００１０】
すなわち、各発光部は、各々が独立に発光制御可能な第１及び第２の発光要素を少なくとも含み、測定された輝度が所定の輝度以上である場合、前記合焦した測距点に対応して配置された第１及び第２の発光要素を発光させると共に、測定された輝度が所定の輝度より小さい場合、第１の発光要素を発光させる一方、第２の発光要素を発光させない。また、第２の発光要素の発光面積が、第１の発光要素の発光面積より大きいとき、測定された被写体輝度が所定の輝度以上である場合、合焦した測距点に対応して配置された第２の発光要素を発光させると共に、測定された輝度が所定の輝度より小さい場合、第１の発光要素を発光させても良い。
【００１１】
なお、第２の発光要素は、例えば第１の発光要素を内部に配置するようにＣ字形又はコの字形に形成されても良い。
【００１２】
また、各測距点に応じた各位置に配置される発光部は、２以上の色の光を発しても良い。この場合、例えば、発光部は、異なる発光色を発する第１及び第２の発光要素を含むことが好ましい。
【００１３】
本発明に係る別の撮像装置は、被写体像の色を測定する測色手段を備え、複数の測距点のうち、１つの測距点に対して合焦したとき、発光部がその１つの測距点を発光表示させると共に、測定された被写体像の色に応じて、発光表示される発光部の発光色が調整されることを特徴とする。
【発明の効果】
【００１４】
本発明では、有機ＥＬ素子によって合焦ポイントの発光表示を行うと共に、発光表示を行う発光部の発光面積を、被写体輝度に応じて変化させ、又は発光部の発光色を、被写体像の色に応じて変化させるので、合焦ポイントの視認性を向上させることができる。
【発明を実施するための最良の形態】
【００１５】
以下本発明の実施形態について図面を用いて詳細に説明する。
図１、２は、本実施形態が適用された一眼レフカメラのファインダー装置を示す。なお、以下の説明においては、本発明が一眼レフカメラに適用された場合を説明するが、本発明は、コンパクトカメラ等、その他の撮像装置に適用することも可能である。
【００１６】
本実施形態のファインダー装置１０は、ファインダー光学系と、発光表示部１６と、ファインダー窓１７と、測光用レンズ１８と、測光用受光素子１９とを備える。ファインダー光学系は、対物レンズ（対物光学系）１１と、クイックリターンミラー１２と、ピント板１３と、ペンタプリズム１４と、接眼レンズ１５とを備える。
【００１７】
被写体で反射された反射光は、対物レンズ１１を通り、クイックリターンミラー１２で反射され、ピント板１３に導かれ、ピント板１３で被写体像として結像される。ピント板１３で結像された被写体像は、ペンタプリズム１４、接眼レンズ１５を介してファインダー窓１７に入射され、これにより被写体像が観察される。クイックリターンミラー１２はレリーズスイッチ（不図示）が押されると、光路上から退避させられ、対物レンズ１１によって導かれた反射光は、ＣＣＤやフィルム等に導かれ、これらを露光する。
【００１８】
本実施形態に係る一眼レフカメラは多点測距機能を備えており、ピント板１３で結像された被写体像に対して９点の測距点Ｆ１〜Ｆ９（図３参照）が設定されている。対物レンズ１１が焦点調整させられると、各測距点Ｆ１〜Ｆ９のうち、１つの測距点における被写体像が合焦させられる。
【００１９】
測光用受光素子１９は、各測光用レンズ１８、ペンタプリズム１４を介してピント板１３で結像された光の一部を取り込み、ファインダー窓１７から観察される被写体像の被写体輝度を検出する。
【００２０】
発光表示部１６は、有機ＥＬ素子から構成され、ピント板１３と、ペンタプリズム１４の間で、被写体からの光が通過する光路に交差する横断領域上に配置される。すなわち、発光表示部１６は被写体結像位置近傍に配設される。発光表示部１６から発せられた光も、ペンタプリズム１４、接眼レンズ１５を介してファインダー窓１７に入射され、これにより発光表示部１６の発光表示が被写体像に重ねられてファインダー窓１７で観察される。なお、発光表示部１６は、クイックリターンミラー１２とピント板１３の間に配置することも可能である。
【００２１】
発光表示部１６の模式的な平面図を図３に示す。発光表示部１６は有機ＥＬ素子から構成され、矩形のファインダー視野領域２１と、ファインダー視野領域２１の上下左右の外側を囲み、枠状に形成されたファインダー視野外領域１９とを備える。ファインダー視野領域２１は、ファインダー窓１７（図１参照）から視認可能であるが、ファインダー視野外領域１９はファインダー窓１７から視認することができない領域である。
【００２２】
矩形のファインダー視野領域２１は、被写体を観察するための矩形の撮影視野領域２２と、撮影視野領域２２の上下左右の外側を囲み、四角枠状に形成された情報表示領域２３とを備える。撮影視野領域２２は被写体からの反射光が入射・透過される領域であって、被写体観察に使用される。情報表示領域２３は、後述する遮光マスク５０によって被写体からファインダー窓１７（図１参照）に入射される光が遮光される領域であるが、必要に応じて各種情報が発光表示されても良い。本実施形態では、発光部は撮影視野領域２２にしか設けられず情報表示領域２３には設けられないが、各種情報が発光表示される場合、情報表示領域２３にも発光部が設けられる。なお、各種情報としては、撮影に利用される露光値、撮影モードやストロボ発光の有無を示す各種シンボルマークである。
【００２３】
測距点Ｆ１〜Ｆ９は、ピント板１３に結像される被写体像に対して３×３で並べられて設定され、ファインダー窓１７から観察すると、図３に示すように撮影視野領域２２の中央領域に並べられている。発光表示部１６の撮影視野領域２２において、各測距点Ｆ１〜Ｆ９に対応する位置にはそれぞれ発光部２５が形成される。発光部２５は、測距点を挟むように、互いに離間して隣り合う第１の発光要素２５Ａ及び第２の発光要素２５Ｂを備える。第１及び第２の発光要素２５Ａ、２５Ｂは例えば矩形にパターニングされて形成され、そのパターニングされた形状に応じた光を発することができる。
【００２４】
各発光要素２５Ａ、２５Ｂそれぞれには、ファインダー視野外領域１９から延ばされた陽極線３１、及び陰極線３２が接続され、これら各発光要素には、陽極線３１、及び陰極線３２を介して電圧が印加される。発光要素２５Ａ、２５Ｂには、それぞれ独立に陽極線３１、及び陰極線３２が接続される。なお図３においては、陽極線３１、陰極線３２は、左上隅の発光部２５に接続されるもののみを表示したが、他の発光部２５にも同様に陽極線３１、陰極線３２が接続される。また、図３においては、陽極線３１、陰極線３２は、撮影視野領域２２内のみにおいて表示した。
【００２５】
図４は、本実施形態に係る発光表示部１６の断面図である。発光表示部１６は、透明基板４１と、透明基板４１に対向して設けられる封止部材４２とを備える。封止部材４２は、透明基板４１上の周辺部に積層された接着剤層３７を介して互いに接着され、透明基板４１及び封止部材４２の間には密閉空間３９が形成される。なお、発光表示部１６において、透明基板４１側が接眼側、封止部材４２側が対物側となる。
【００２６】
撮影視野領域２２における透明基板４１の上には、発光要素２５Ａ、２５Ｂを形成するために、複数の陽極３４が配置される。そして、各陽極３４の上には、それぞれ有機ＥＬ層３３が積層され、各有機ＥＬ層３３上には、さらに陰極３５が積層される。陽極３４、陰極３５は、各発光要素２５Ａ、２５Ｂに対して設けられ、各発光要素２５Ａ，２５Ｂは、それぞれ独立に発光制御可能である。
【００２７】
陽極３４、陽極線３１、及び陰極線３２は、透明電極であって、例えばITO（Indium Tin Oxide）、ATO(antimony doped tindioxide)、ZnO（zinc oxide）等の透明導電性金属化合物から形成される。有機ＥＬ層３３は、陽極側から順に例えば正孔輸送材料で構成される正孔輸送層、有機発光材料で構成される有機発光層、電子輸送材料で構成される電子輸送層等が積層されて構成され、例えば赤色の光を発するように構成される。陰極３５も透過性のある透明電極であって、例えばITO、ATO、ZnO等の透明導電性金属化合物のみから形成されても良いが、好ましくは以下に示すように２層構造で形成される。
【００２８】
すなわち、陰極３５は、有機ＥＬ層の上に積層される第１の陰極層と、第１の陰極層の上に積層される第２の陰極層とによって構成されることが好ましい。第１の陰極層は、例えばアルミニウム、インジウム、マグネシウム、カルシウム、チタニウム、イットリウム、リチウム、及びこれらの合金等の非透過性の陰極金属材料から形成されるとともに、第２の陰極層は、ITO、ATO、ZnO等の透明導電性金属化合物から形成される。第１の陰極層は非透過性物質によって構成されるが、その層厚が例えば１００Å以下に設定されることにより、実質的に透過性を有し、これにより陰極３５は透明電極に構成される。なお、この場合、第１の陰極層と各有機ＥＬ層の間には、電子注入層が積層されていたほうが良い。電子注入層は例えばLiFによって形成され、その厚さは例えば７Åである。なお、第２の陰極層の厚さは例えば２０００Åである。
【００２９】
陰極３５がITO等の透明導電性金属化合物のみから形成されると仕事関数が高くなり電子の注入性が低下する。しかし、陰極３５が第１及び第２の陰極層から構成され、かつ第１の陰極層に上述したような低仕事関数の陰極金属材料が用いられる場合、電子の注入性の低下を最小限に抑制することができる。
【００３０】
以上のような構成により、第１及び第２の発光要素２５Ａ、２５Ｂは透過性を有する透明部材として形成されるので、各発光要素２５Ａ、２５Ｂは、発光したときのみ測距点Ｆ１〜Ｆ９を発光表示する合焦マークとして視認される。なお、隣り合う第１及び第２の発光要素２５Ａ、２５Ｂの離間距離は、例えば２〜１０μｍと小さいので、観察者はこれら２つの発光要素２５Ａ、２５Ｂの発光表示を１つの合焦マークとして視認することができる。
【００３１】
ただし、陰極３５は非透明電極で構成され、上述した非透過性の陰極金属材料から形成されても良い。この場合、各発光要素２５Ａ、２５Ｂは、被写体からファインダー窓１７に入射される光を遮光するので、非発光時でも遮光表示部として表示される。このような構成によれば、陰極３５は仕事関数が低くなり電子の注入性に優れるため、発光要素２５Ａ、２６Ｂの発光効率は、陰極３５が透明電極である場合より向上させられる。
【００３２】
発光表示部１６の接眼側には遮光マスク５０が設けられる。遮光マスク５０は透明基板４１側から見ると四角枠状に形成され、遮光マスク５０が重ねられた領域が四角枠状の情報表示領域２３として形成される。
【００３３】
図５は、本実施形態に係る一眼レフカメラのブロック図である。図６は本実施形態のカメラの撮影動作を示すフローチャートである。なお、本実施形態の一眼レフカメラ全体の撮影動作はＣＰＵ５２で制御される。
【００３４】
図６に示すように、本ルーチンは電源スイッチ６１の入力により開始される。電源スイッチ６１入力後、ステップＳ１００でＣＰＵ５２等が初期設定され、次いでステップＳ１１０で電源スイッチ６１の入力の有無が検知され、電源スイッチ６１が再度入力されると、本ルーチンは終了する。電源スイッチ６１が入力さていない場合、次いでステップＳ１１５で各種スイッチ６０の入力に対するスイッチ処理が行われる。
【００３５】
ステップＳ１２０では、レリーズボタン（不図示）が半押しされることにより、第１のスイッチ６２が入力されたか否かが判定され、第１のスイッチ６２が入力されるとステップＳ１２５に進む。一方、第１のスイッチ６２が入力されない場合、ルーチンはステップＳ１１０に戻る。
【００３６】
ステップＳ１２５では測光用受光素子１９（図１，２参照）を含むＡＥ回路５３によって、被写体輝度が検出され、その被写体輝度のデータはＣＰＵ５２に一旦格納される。また、その被写体輝度に基づき、シャッタースピード、絞り値が算出される。ステップＳ１３０では測距点が手動選択されているか否かが検出される。すなわち、測距点Ｆ１〜Ｆ９（図３参照）のうち、１つの測距点が、ステップＳ１１５において予め手動選択されているか否かが判定される。測距点が手動選択されていると判定された場合、ステップＳ１３２では、ＡＦ回路５４によって、その選択されている１つの測距点が合焦ポイントとして設定され、ステップＳ１３５ではその合焦ポイントに位置する被写体像の被写体距離が測定される。そして、ステップＳ１４０ではレンズ駆動回路５６によって、その被写体距離に応じた合焦位置に、対物レンズ１１が移動させられ、合焦ポイントにおける被写体像が合焦させられる。
【００３７】
一方、ステップＳ１３０で測距点が手動選択されていないと判定された場合、ステップＳ１４５で、ＡＦ回路５４によって、各測距点Ｆ１〜Ｆ９（図２参照）における被写体の被写体距離が測定され、ステップＳ１４７では、最も被写体距離が短い測距点が合焦ポイントして設定される。そして、ステップＳ１５０では、レンズ駆動回路５６によって、合焦ポイントの被写体距離に応じた合焦位置に、対物レンズ１１が移動させられ、その合焦ポイントにおける被写体像が合焦させられる。
【００３８】
合焦動作が終了するとステップＳ１５５において、ステップＳ１２５で測定された被写体輝度が予め設定されていた閾値以上か否かが判定される。閾値以上であれば、ステップＳ１６０では、合焦ポイントとして設定された測距点に対応する第１及び第２の発光要素２５Ａ、２５Ｂの両方が発光表示される。一方、閾値より小さいと判定されると、ステップＳ１６５において、合焦ポイントとして設定された測距点に対応する第１の発光要素２５Ａのみが発光表示される。
【００３９】
ステップＳ１７０では、レリーズボタンが全押しされ、第２のスイッチ６３が入力されたか否かが判定され、ステップＳ１７０で第２のスイッチ６３が入力されていないと判定された場合、ステップＳ１７５に進む。ステップＳ１７５では、第１のスイッチ６２の入力の有無が判定される。そして、第１のスイッチ６２が入力されて半押し状態が継続されていると判定された場合、ステップＳ１７０に戻る。
【００４０】
一方、第１のスイッチ６２の入力がなく、半押し状態が継続されていないと判定された場合、ステップＳ１８５に進み、発光させられている発光要素２５Ａ（又は２５Ａ及び２５Ｂの両方）の発光が停止させられ、ステップＳ１１０に戻る。
【００４１】
一方、ステップＳ１７０で第２のスイッチ６３が入力されたと判定された場合、ステップＳ１８０において、被写体の撮影が行われる。すなわち、クイックリターンミラー１２（図１参照）が光路から退避され、ＣＣＤ又はフィルムの露光が行われ、静止画像が得られる。なおこのとき、シャッタースピード、絞り値はステップＳ１２５で算出されたものが使用されると共に、被写体輝度が所定値より低い場合、ストロボ回路５５によってストロボが発光される。撮影動作が終了するとステップＳ１８５において、発光させられている発光要素２５Ａ（又は２５Ａ及び２５Ｂの両方）の発光が停止させられ、ステップＳ１１０に戻る。
【００４２】
以上のように本実施形態では、被写体輝度が相対的に高い場合、第１及び第２の発光要素２５Ａ、２５Ｂの両方が発光させられ、測距点を示す発光部２５の発光面積が相対的に大きくされるので、合焦マークの視認性が高められ、合焦ポイントを確認しやすくなる。一方、被写体輝度が相対的に低い場合、第１の発光要素２５Ａのみしか発光させられず、発光部の発光面積が相対的に小さくなるので、合焦マークの発光表示が被写体観察を妨げることもない。
【００４３】
また、本実施形態においては、発光面積を相対的に大きくするためには、発光させる発光要素の数を調整させるだけで良いので、単純な制御で合焦マークの視認性を高めることができる。
【００４４】
なお、本実施形態のルーチンでは、第１及び第２の発光要素２５Ａ，２５Ｂに入力される電流値は一定であり、発光強度は一定であったが、発光強度も被写体輝度に応じて調整されても良い。例えば、ステップＳ１５５で被写体輝度が閾値以上であると判定されると、発光要素２５Ａ、２５Ｂの両方が発光させられると共に、各発光要素２５Ａ、２５Ｂに入力される電流値が相対的に高くされ、発光要素２５Ａ、２５Ｂの発光強度も相対的に高くされる。一方、被写体輝度が閾値より小さいと判定されると、発光要素２５Ａのみが発光させられると共に、発光要素２５Ａに入力される電流値が相対的に低くされ、発光強度が相対的に低くされる。また、発光部の発光強度は、例えば被写体輝度が大きくなるのに従って、比例して大きくされても良い。
【００４５】
なお、本実施形態において、各測距点Ｆ１〜Ｆ９の位置に対応して設けられる発光部２５は、隣り合うように配置された第１及び第２の発光要素２５Ａ、２５Ｂから成るが、勿論３つ以上の発光要素を備えていても良い。例えば、横方向に２つ、縦方向に２つ並べられ、４つの発光要素から形成されても良い。各発光部の発光要素の数を大きくすることにより、発光面積をより精緻に調整させることができる。
【００４６】
図７は、本実施形態に係る測光方法の変形例を説明するための図であって、ピント板１３に結像される被写体像を示す。なお、図７において点線は、ファインダー窓１７から被写体像Ｍを見たときに、第１及び第２の発光要素２５Ａ、２５Ｂの発光表示が、被写体像Ｍに重ねられる位置を示す。
【００４７】
本変形例では、被写体輝度の測定は、被写体像Ｍを複数の領域に分割して行う分割測光方式で行われる。ピント板１３に結像される被写体像Ｍには、上述したように測距点Ｆ１〜Ｆ９が設定されると共に、各測距点Ｆ１〜Ｆ９に対応して、各測距点が略中心位置に配置されるように、分割測光のための分割エリアＭ１〜Ｍ９が設定されている。
【００４８】
前述した図６を用いて説明すると、本変形例では、ステップＳ１２５において、各分割エリアＭ１〜Ｍ９の被写体輝度が測定される。そして、ステップＳ１５５では、合焦ポイントに設定された測距点に対応する分割エリアの被写体輝度と、閾値とが比較され、発光要素２５Ａ、２５Ｂが発光制御される（図６参照）。すなわち、本変形例では、合焦マークの表示場所に応じた分割エリアの被写体輝度が閾値以上であれば、第１及び第２の発光要素２５Ａ、２５Ｂが発光され、発光部２５の発光面積が相対的に大きくされる。一方、閾値より小さければ、第１の発光要素２５Ａのみが発光され、発光部２５の発光面積が相対的に小さくされる。
【００４９】
図８は本発明の第２の実施形態に係る発光部の構成を示す。なお、図８においては、測距点Ｆ１に対応する位置に設けられた発光部２５を例示的に示す。第２の実施形態において、発光部２５は、測距点上に重ねられて設けられ略矩形の第１の発光要素２５Ａと、コの字形に形成され、そのコの字内部に第１の発光要素２５Ａを配置させる第２の発光要素２５Ｂとを備える。本実施形態においても、第１の実施形態と同様に、被写体輝度が閾値以上であれば、第１及び第２の発光要素２５Ａ、２５Ｂが発光表示されると共に、被写体輝度が閾値より小さければ第１の発光要素２５Ａのみが発光表示させられるように構成される。
【００５０】
本実施形態では、第１の発光要素２５Ａのみが発光したときも、第１及び第２の発光要素２５Ａ，２５Ｂの両方が発光したときも、その発光領域の中心は測距点Ｆに略一致するので、発光部２５よる発光表示が合焦マークとして違和感なく視認される。また、第２の発光要素２５Ｂはコの字形に形成され、開口部２５Ｕが設けられたことにより、陽極線３１、及び陰極線３２は開口部２５Ｕを介して第１の発光要素２５Ａに接続されるので、配線構造も簡易である。なお、各発光部２５は、略円形から成る第１の発光要素と、Ｃ字形に形成され、Ｃ字内部に第１の発光要素を配置させる第２の発光要素とを備えていてもよい。
【００５１】
また、第２の実施形態においては、発光部２５は、相対的に発光面積の大きな第１の発光要素２５Ａと、相対的に発光面積の小さい第２の発光要素２５Ｂとから構成されるので、被写体輝度が閾値より低い場合、第１の発光要素２５Ａのみを発光させると共に、被写体輝度が閾値以上である場合、第２の発光要素２５Ｂのみを発光させる構成にしても良い。このように制御しても、発光部２５の発光面積を被写体輝度に応じて調整することができる。
【００５２】
図９は本発明の第３の実施形態に係る発光部の構成を示す。図９においても、測距点Ｆ１に対応する位置に設けられた発光部２５を例示的に示す。本実施形態では、発光部２５は、略矩形に形成された第１の発光要素２５Ａと、コの字形に形成された第２及び第３の発光要素２５Ｂ、２５Ｃとを備える。そして、第２及び第３の発光要素２５Ｂ、２５Ｃは互いに開口部２５Ｕが向き合うように離間して配置され、それら内部に矩形の領域を形成し、その内部の領域に第１の発光要素２５Ａが配置される。本実施形態においては、被写体輝度が閾値以上であれば、第１〜第３の発光要素２５Ａ〜２５Ｃが発光表示されると共に、被写体輝度が閾値より小さければ第１の発光要素２５Ａのみが発光表示させられるように構成される。勿論、被写体輝度が閾値以上であれば、第２〜第３の発光要素２５Ｂ〜２５Ｃが発光表示されると共に、被写体輝度が閾値より小さければ第１の発光要素２５Ａのみが発光表示させられるように構成しても良い。
【００５３】
以上の構成によれば、本実施形態においても第２の実施形態と同様に合焦マークを観察者に違和感を与えることなく表示することができる。また、第１の発光要素２５Ａに接続される陽極線３１、及び陰極線３２は、第２及び第３の発光要素２５Ｂ、２５Ｃの間に配置させることができ、配線構造も容易になる。
【００５４】
次いで、本発明に係る第４の実施形態について、図１０のフローチャートを用いて説明する。なお、第４の実施形態の撮影動作ルーチンにおいて、第１の実施形態のルーチンと異なる点は、ステップＳ１２５及びステップＳ１５５〜Ｓ１６５であるので、その点のみ説明する。
【００５５】
第１の実施形態では、各発光部２５を形成する第１及び第２の発光要素２５Ａ、２５Ｂは同一色の発光色（例えば赤色）を発するが、第４の実施形態では、第１及び第２の発光要素２５Ａ、２５Ｂは異なる色の光を発し、例えば第１の発光要素２５Ａが赤色、第２の発光要素２５Ｂが青色を発する。
【００５６】
第４の実施形態に係る測光受光素子１９は測色機能も有しており、ステップＳ１２５において測光と共に被写体像の測色も行われ、被写体像のカラーバランスも測定される。そして、ステップＳ１５５〜Ｓ１６５では、被写体像のカラーバランス（色）に応じて第１及び第２の発光要素２５Ａ、２５Ｂの発光が制御される。すなわち、ステップＳ１５５で、被写体像のカラーバランスが予め保存されていた標準カラーバランスと比較され、被写体像が青、又は緑色であると検出された場合には、ステップＳ１６０で第１の発光要素２５Ａが発光され、合焦マークが赤色に発光表示される。一方、被写体像が赤色であると判定された場合には、ステップＳ１６５で第２の発光要素２５Ａが発光され、合焦マークが青色に発光表示される。
【００５７】
本実施形態では、合焦マークを、被写体像と異なる色で発光表示させることができるので、合焦マークを被写体像と差別化して表示させることができる。なお、本実施形態では、例えば被写体輝度が閾値以上である場合等には、第１及び第２の発光要素２５Ａ、２５Ｂの両方を発光させるような構成にしても良い。
【００５８】
また、発光部２５は赤色、緑色、青色の光を発する第１乃至第３の発光要素を備え、各発光部２５がフルカラー表示可能なようにしても良い。この場合、各発光部２５は、第１〜第３の発光要素のうち、１又は２つの発光要素を発光させ、検出された被写体像の色の反対色の光を発するように構成されることが好ましい。
【００５９】
さらに、本実施形態でも勿論第１の実施形態と同様に、被写体像の測色は、被写体像Ｍ（図７参照）を複数の領域に分割して行う分割測色方式で行われても良い。すなわち、合焦マークの表示場所に応じた分割エリアＭ１〜Ｍ９の色（カラーバランス）に応じて、合焦ポイントの発光色が変更させられても良い。例えば、分割エリアＭ５に配置された測距点Ｆ５が合焦ポイントとして設定された場合、分割エリアＭ５の色に応じて、測距点Ｆ５に対応する発光部２５が所定の色で発光表示されても良い。
【００６０】
なお、第４の実施形態においても、第１又は第２の発光要素２５Ａ、２５Ｂは、被写体輝度に応じて、入力される電流値が制御され、発光強度も調整されても良い。
【００６１】
また、例えば発光部２５は、第１〜第４の発光要素から構成され、第１及び第２の発光要素が赤色を発し、第３及び第４の発光要素が青色を発するように構成されても良い。このような構成によれば、被写体輝度に応じて発光部の発光面積が変更できると共に、被写体像の色に応じて発光部の発光色も変更させることができる。例えば、被写体像の色が青、又は緑色で、かつ被写体輝度が閾値以上であれば、第１及び第２の発光要素の両方を発光させる一方、被写体像の色が青、又は緑色で、かつ被写体輝度が閾値より小さければ、第１の発光要素のみを発光させる。また、例えば、被写体像の色が赤色で、かつ被写体輝度が閾値以上であれば、第３及び第４の発光要素の両方を発光させる一方、被写体像の色が赤色で、かつ被写体輝度が閾値より小さければ、第３の発光要素のみを発光させる。
【００６２】
なお、第１〜第３の実施形態においては、第１及び第２の発光要素２５Ａ、２５Ｂは、単一の発光色（例えば赤色）しか発することができなかったが、発光色が変化させられるようにしても良い。例えば、有機発光層が複数の発光層が積層されて構成されると共に、各発光層が異なる材料で形成されることにより、各発光要素２５Ａ、２５Ｂに印加される電圧が変更されると、発光要素２５Ａ、２５Ｂの発光色が変更させられる構成にしても良い。また、例えば電界の印加する方向を変化させることによって、発光色が変化されるようにしても良い。この場合、例えば、有機ＥＬ層は陽極側から正孔輸送層、有機発光層、ホールブロッキング層、有機発光層、電子輸送層等が積層されて構成される。また、正孔輸送層、有機発光層との間にさらにホールブロッキング層を備えていても良い。さらには、正孔輸送層、ホールブロッキング層、有機発光層、電子ブロッキング層、有機発光層、電子輸送層等が積層されて構成されても良い。このような構成によれば、各発光部２５は、第１及び第２の発光要素２５Ａ，２５Ｂのみを有することにより、被写体輝度に応じて発光面積を調整できると共に、被写体像の色に応じて発光色を変化させることができる。
【００６３】
なお、第１乃至第４の実施形態の発光表示部１６には、撮影視野領域２２略全体にマトリックス状に陽極と陰極が配置されると共に、透明陽極と透明陰極の間に有機発光層が配置され、撮影視野領域２２の略全体にフルカラー画像が発光表示できる発光部が設けられ、その発光部の一部を用いて合焦マークが表示される構成にしても良い。
【図面の簡単な説明】
【００６４】
【図１】カメラのファインダー装置の平面図である。
【図２】カメラのファインダー装置の上面図である。
【図３】第１の実施形態に係る発光表示部の平面図である。
【図４】第１の実施形態に係る発光表示部の断面図である。
【図５】カメラの回路構成図を示す。
【図６】第１の実施形態係るカメラの撮影ルーチンにおけるフローチャートである。
【図７】第１の実施形態の変形例を説明するための被写体像の模式的な平面図である。
【図８】第２の実施形態に係る発光部の拡大平面図である。
【図９】第３の実施形態に係る発光部の拡大平面図である。
【図１０】第４の実施形態係るカメラの撮影ルーチンにおけるフローチャートである。
【符号の説明】
【００６５】
１０  ファインダー装置
１６  発光表示部
１７  ファインダー窓
１８  測光用レンズ
１９  測光用受光素子
２１  ファインダー視野領域
２２  撮影視野領域
２３  情報表示領域
２５  発光部
２５Ａ  第１の発光要素
２５Ｂ  第２の発光要素
４１  透明基板
４２  封止部材
Ｆ１〜Ｆ９  測距点
Ｍ１〜Ｍ９  分割エリア
【図１】
2008040149.tif 000003
【図２】
2008040149.tif 000004
【図３】
2008040149.tif 000005
【図４】
2008040149.tif 000006
【図５】
2008040149.tif 000007
【図６】
2008040149.tif 000008
【図７】
2008040149.tif 000009
【図８】
2008040149.tif 000010
【図９】
2008040149.tif 000011
【図１０】
2008040149.tif 000012